(57)【要約】【課題】構成簡易で扱いやすく、穴が狭小（例えば、１ｍｍ以下）である小粒のビーズについても用いることができ、また、長時間使用しても手が疲れにくいビーズ細工用治具を提供することを課題とする。【解決手段】軸部１の一端にテグス通し部２を設けると共に、他端に挟持部６を設けて成り、テグス通し部２には、テグス１２を挿入し得る中空針１１を差し込む細径孔４とこれに連通するすり鉢孔５とから成るテグス通し孔３が形成され、挟持部６において、テグス通し部２を介してテグス１２が挿通された状態の中空針１１の根元をテグス１２と共に押え止め可能にした。【選択図】図３
2017008427.tif 000002
【特許請求の範囲】
【請求項１】
軸部の一端にテグス通し部を設けると共に、他端に挟持部を設けて成り、前記テグス通し部には、中空針を差し込む細径孔とこれに連通するすり鉢孔とから成るテグス通し孔が形成され、前記挟持部において、前記テグス通し部を介してテグスが挿通された状態の前記中空針の根元を前記テグスと共に押え止め可能にしたことを特徴とするビーズ細工用治具。
【請求項２】
前記細径孔の下端に、差し込まれた前記中空針を受け止めるための段部を備える、請求項１に記載のビーズ細工用治具。
【請求項３】
前記テグス通し部に前記テグス通し孔が複数形成される、請求項１又は２に記載のビーズ細工用治具。
【請求項４】
前記テグス通し孔として異なるサイズのものが複数形成される、請求項３に記載のビーズ細工用治具。
【請求項５】
前記中空針は反った形状のものである、請求項１乃至４又は２に記載のビーズ細工用治具。
【発明の詳細な説明】
【技術分野】
【０００１】
本発明はビーズ細工用治具に関するものであり、より詳細には、特に、穴径の小さな極小の装飾用ビーズを用いてのビーズ細工に用いるのに好適なビーズ細工用治具に関するものである。
【背景技術】
【０００２】
ビーズ細工は、ビーズの穴に糸、テグス、針金（以下単に「テグス」とする）を通すことによって進めていくが、このテグス作業は、使用するビーズの個数が少ない場合には、ビーズを指でつまむことによってさほど手間をかけることなく行うことができる。しかし、多くのビーズを必要とする１連のネックレスや、１連のものを数本撚って絡ませて制作するひも状の製品等の場合に、この方法でテグスをビーズ１粒ずつに通していくことは、根気のいる大変な作業となる。特に、このテグスを小さなビーズ１粒ずつに通していく作業は、年配者にとっては困難なものとなる。
【０００３】
そしてその場合、１本のテグスを沢山のビーズに通していくと、次第にテグスの先端が痛んで通しにくくなってくるので、度々先端を切離しなければならない煩わしさがある。また、従来のビーズ通し針を用いる場合は、その針の糸通し部の糸が、縫い針の場合のように折り返されて二重になるが、その部分が摩擦により劣化して切れやすくなるという問題があり、更に、従来のビーズ通し針の場合は細いため、長時間摘持していると手が疲れるという問題もある。
【０００４】
なお、このテグス挿通作業を容易に行うことを企図したビーズ用糸通し具が提唱されている（特開２０１２‐２１９３９０号公報）。そのビーズ用糸通し具は、「直線状に延びる本体部を備え、該本体部一端に直接又は間接に糸を繋いだ状態で、ビーズの貫通孔に上記本体部を他端から挿通させ、且つ、上記ビーズを上記本体部の一端側に移動させて本体部の一端を通過させることにより上記ビーズの貫通孔に糸が通されるように構成されたもの」であり、「上記本体部の他端側に、上記ビーズの貫通孔に挿通する際に撓み変形して該ビーズの上記本体部への外嵌を許容し、当該貫通孔を通過した状態で復元して上記ビーズの上記本体部他端側からの脱落を規制する鈎状部が設けられていること」を特徴とするものである。
【０００５】
しかし、このビーズ用糸通し具の場合は、先端の鈎状部と本体部と環状部のすべてがビーズの穴を通り抜ける必要があるので、穴がそれら各部をすべて挿通させ得るサイズのビーズにしか使用できないという制限があり、本発明において企図しているレベルの狭小穴のビーズについては、使用することができない。また、この例の場合も、その針の糸通し部の糸が、縫い針の場合のように折り返されて二重になるため、ビーズの穴径の２分の１以下の太さのテグスしか使用できないという制限が伴う。
【先行技術文献】
【特許文献】
【０００６】
【特許文献１】特開２０１２−２１９３９０号公報
【発明の概要】
【発明が解決しようとする課題】
【０００７】
上述したように、従来のビーズ通し針の場合は、その針の糸通し部の糸が摩擦により劣化して切れやすく、また、針が細いため、長時間摘持していると手が疲れるという問題があり、特許文献１に記載の発明の場合は、穴径が比較的大きいビーズにしか用いることができないという問題があった。そこで本発明は、構成簡易で扱いやすく、穴が狭小（例えば、１ｍｍ以下）である小粒のビーズについても用いることができ、また、長時間使用しても手が疲れにくいビーズ細工用治具を提供することを課題とする。
【課題を解決するための手段】
【０００８】
上記課題を解決するための請求項１に係る発明は、軸部の一端にテグス通し部を設けると共に、他端に挟持部を設けて成り、前記テグス通し部には、テグスを挿入し得る中空針を差し込む細径孔とこれに連通するすり鉢孔とから成るテグス通し孔が形成され、前記挟持部において、前記テグス通し部を介してテグスが挿通された状態の前記中空針の根元を前記テグスと共に押え止め可能にしたことを特徴とするビーズ細工用治具である。
【０００９】
一実施形態においては、前記細径孔の下端に、差し込まれた前記中空針を受け止めるための段部が形成される。また、前記テグス通し部に前記テグス通し孔が複数形成され、好ましくはその場合、前記テグス通し孔として異なるサイズのものが複数形成される。中空針は、反ったものであることが好ましい。
【発明の効果】
【００１０】
本発明は上記のように、軸部の一端にテグス通し部を設けると共に、他端に挟持部を設けて成り、テグス通し部には、中空針を差し込む細径孔とこれに連通するすり鉢孔とから成るテグス通し孔が形成され、挟持部において、テグスが挿通された状態の中空針の根元をテグスと共に押え止めることができるように構成されているため、細径孔に中空針を差し立てた状態で単にすり鉢孔にテグスを差し入れるだけで、難なくテグスを中空針内に進入させることができ、また、中空針先をビーズに挿通する操作は、挟持部によって中空針の根元をテグスと共に押えさせた状態で簡単迅速に行うことができる効果がある。
【００１１】
また、構成簡易で扱いやすく、中空針が通り得る、例えば、１ｍｍ以下の穴径の狭小な小粒のビーズについても用いることができ、軸部が比較的太く、ペンを持つ感覚で使用できるため、長時間連続使用しても手が疲れにくく、更に、連続して多数のビーズを通していく作業が容易となるため、長いレーンを連続使用するようなビーズ細工の、より高度なテクニックへの挑戦も可能となり、ビーズ細工の楽しさを一層増長し得る効果がある。
【図面の簡単な説明】
【００１２】
【図１】本発明に係るビーズ細工用治具の構成を示す中間省略平面図及び正面図である。
【図２】本発明に係るビーズ細工用治具のテグス通し部の構成を示す拡大縦断面図である。
【図３】本発明に係るビーズ細工用治具の使用方法を示す図である。
【発明を実施するための形態】
【００１３】
本発明を実施するための好ましい形態について、添付図面に依拠して説明する。本発明に係るビーズ細工用治具は、軸部１の一端にテグス通し部２を設けると共に、他端に挟持部６を設けて成るものである。
【００１４】
テグス通し部２には、中空針１１を差し込む細径孔４とこれに連通するすり鉢孔５とから成るテグス通し孔３が、１又は複数形成される。細径孔４の下端には、差し込まれた中空針１１を受け止めるための段部１０が形成される。後述するように、細径孔４には中空針１１が差し立てられるが、中空針１１の径は一定ではないので、テグス通し孔３を複数形成する場合は、中空針１１の径に対応させて細径孔４の径を異ならしめることが好ましい。その場合、すり鉢孔５は同じサイズであっても差し支えない。なお、中空針１１は、ビーズ１３の穴に通す必要があることから、注射針のように、肉薄のものであることが望ましい。
【００１５】
挟持部６は、後述するようにしてテグス通し部２を介してテグス１２が挿通された中空針１１の根元を、テグス１２と共に押え止める機能を果たすもので、その構成は任意であり、例えば、洗濯ばさみ等におけるような、ねじりコイルばねを介して開閉する機構を採用することができる。図示した例では、軸部１の先端部に押止板８が起伏可能に設置され、この押止板８が、軸部１の先端部に配設された軸支部７に軸支されたハンドル９の枢動動作に伴って押圧されることで、軸部１の先端部との間で開閉動作する構成となっている（ハンドル９を下げると閉まり、ハンドル９を上げると閉じる。）。なお、軸部１の先端部と押止板８の合接面に、適宜滑り止め部材が定着される。
【００１６】
次いで、主に図３を参照しつつ、本発明に係るビーズ細工用治具の使用方法について説明する。言うまでもなくビーズ細工は、ビーズ１３の穴にテグス１２を通していくことにより進めていくものであるが、本発明においては、テグス１２の先端に中空針１１を取り付け、中空針１１の先端をビーズ１３の穴に通し、そのビーズ１３を中空針１１からテグス１２にかけてずらし動かす動作を反復し、テグス１２に多数のビーズ１３をため込んでいく。そして、所望量ため込んだ後、テグス１２を本治具から外して、任意の形状に造形する。
【００１７】
その細工に先立ってテグス１２の先端に中空針１１を取り付ける必要があるが、その作業は、本発明に係るビーズ細工用治具を用いることにより、容易且つ迅速に行うことができる。そのためには先ず、細径孔４を上向きにして中空針１１を差し立て、その状態で単にすり鉢孔５にテグス１２を差し入れると、テグス１２の先端部はすり鉢孔５の周面に沿って向心的に移動し、無理なく、難なく中空針１１内に導入される（図２参照）。
【００１８】
中空針１１には、先端が開口されているものと閉塞されているものとがあるが、いずれの場合にもテグス１２は、中空針１１内の奥部まで進入させる。その後、テグス１１を進入させた状態のまま中空針１１をテグスと共に細径孔４から引き抜き、テグス１１がテグス通し孔３に挿通された状態にする（図３（Ａ））。そして、ハンドル操作して挟持部３を開き（図３（Ｃ）の状態）、そこに中空針１１の根元をテグス１２と共に置いた後、ハンドル操作して挟持部３を閉じることで、挟持部３によって中空針１１の根元がテグス１２と共に押え止められるようにする（図３（Ｂ）の状態）。
【００１９】
上記のようにして、挟持部３に、中空針１１の根元をテグス１２と共に挟持させた状態で、中空針１１の先端をビーズ１３に挿通する操作を行うが、この操作は、軸部１を持ってビーズ１３をすくい取るようにして行うことになるため、容易な操作となり、年配者であっても難なく連続的に行うことが可能となる。その場合、図示した例のように中空針１１が反っていると、一層すくい取り操作が容易となるのみならず、中空針１１を挟持部６から外した際に、真っ直ぐなものの場合に比較して、摩擦等により中空針１１内に挿入されたテグス１２が抜けにくくなるというメリットがある。
【００２０】
その後、ビーズ１３を複数中空針１１の先端部に集め、中空針１１を上向きにし、あるいは、中空針１１の先端部を指先で押えた状態で挟持部６を開いて中空針１１を解放し、中空針先に集めたビーズ１３をテグス１２に向けてずらし移動させる（図３（Ｃ）の状態）。このようにして所望量のビーズ１３を挿通させた後、テグス１２をテグス通し孔３から引き抜き、任意の形状に造形する。
【００２１】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２２】
１      軸部
２      テグス通し部
３      テグス通し孔
４      細径孔
５      すり鉢孔
６      挟持部
７      軸支部
８      押止板
９      ハンドル
１０    段部
１１    中空針
１２    テグス
１３    ビーズ
【図１】
2017008427.tif 000003
【図２】
2017008427.tif 000004
【図３】
2017008427.tif 000005